(57)【要約】【課題】サブコネクタの不正な変形を防止する。【解決手段】分割コネクタＡは、相手側コネクタＢと嵌合可能なフレーム１０と、フレーム１０に形成され、相手側コネクタＢとの嵌合方向に貫通した形態の取付部１３と、取付部１３の開口縁部のうち互いに対向する２辺に形成された一対のロック部１５と、取付部１３の開口領域のうち一対のロック部１５の間に配された支持部１６と、端子金具３０を保持した状態で取付部１３に取り付けられるサブコネクタ２５と、サブコネクタ２５に形成され、一対のロック部１５に係止することでサブコネクタ２５を取付部１３内に保持する一対の第１係止部２７と、サブコネクタ２５に形成され、支持部１６に対し相手側コネクタＢへの嵌合方向とは逆向きに係止可能な第２係止部２９とを備える。【選択図】図２
2020102333.tif 000002
【特許請求の範囲】
【請求項１】
相手側コネクタと嵌合可能なフレームと、
前記フレームに形成され、前記相手側コネクタとの嵌合方向に貫通した形態の取付部と、
前記取付部の開口縁部のうち互いに対向する２辺に形成された一対のロック部と、
前記取付部の開口領域のうち前記一対のロック部の間に配された支持部と、
端子金具を保持した状態で前記取付部に取り付けられるサブコネクタと、
前記サブコネクタに形成され、前記一対のロック部に係止することで前記サブコネクタを前記取付部に保持する一対の第１係止部と、
前記サブコネクタに形成され、前記支持部に対し前記相手側コネクタへの嵌合方向とは逆向きに係止可能な第２係止部とを備えていることを特徴とする分割コネクタ。
【請求項２】
前記支持部は、前記取付部の開口縁部同士を連結した形態であり、且つ壁厚方向を前記相手側コネクタとの嵌合方向と交差する方向に向けた支持壁部を有していることを特徴とする請求項１記載の分割コネクタ。
【請求項３】
前記フレームに形成され、前記支持壁部に対し交差した形態で連なる補強壁部を備えていることを特徴とする請求項２記載の分割コネクタ。
【請求項４】
前記支持壁部に形成され、前記相手側コネクタとの嵌合方向に沿った方向に延びるリブを備えていることを特徴とする請求項２又請求項３記載の分割コネクタ。
【請求項５】
前記支持部には、前記支持壁部から突出した形態であり、前記第２係止部が係止可能な受け部が設けられており、
前記受け部が前記リブに連なっていることを特徴とする請求項４記載の分割コネクタ。
【発明の詳細な説明】
【技術分野】
【０００１】
本発明は、分割コネクタに関するものである。
【背景技術】
【０００２】
特許文献１には、貫通形態の複数の収容部が開口したフレームと、各収容部に個別に収容される複数のサブコネクタとを備えた分割コネクタが開示されている。フレームには、収容部の左右両側壁部には、サブコネクタを収容部内に保持するための一対のロック片が形成されている。
【先行技術文献】
【特許文献】
【０００３】
【特許文献１】特開２００２−３１３４８７号公報
【発明の概要】
【発明が解決しようとする課題】
【０００４】
上記分割コネクタを相手側コネクタと嵌合する際には、分割コネクタの端子金具と相手側コネクタの相手側端子との間で摩擦抵抗が生じ、この摩擦抵抗は、サブコネクタに対して嵌合動作を阻害する嵌合抵抗となる。嵌合抵抗を受けたサブコネクタは、その左右両端部においてロック片によりフレームに支持されているので、一対のロック片の間で湾曲するように不正に変形する虞がある。
【０００５】
本発明は上記のような事情に基づいて完成されたものであって、サブコネクタの不正な変形を防止することを目的とする。
【課題を解決するための手段】
【０００６】
本発明は、
相手側コネクタと嵌合可能なフレームと、
前記フレームに形成され、前記相手側コネクタとの嵌合方向に貫通した形態の取付部と、
前記取付部の開口縁部のうち互いに対向する２辺に形成された一対のロック部と、
前記取付部の開口領域のうち前記一対のロック部の間に配された支持部と、
端子金具を保持した状態で前記取付部に取り付けられるサブコネクタと、
前記サブコネクタに形成され、前記一対のロック部に係止することで前記サブコネクタを前記取付部に保持する一対の第１係止部と、
前記サブコネクタに形成され、前記支持部に対し前記相手側コネクタへの嵌合方向とは逆向きに係止可能な第２係止部とを備えていることを特徴とする。
【発明の効果】
【０００７】
フレームを相手側コネクタと嵌合する際には、相手側コネクタからサブコネクタに対して嵌合方向とは逆向きの嵌合抵抗が作用するので、サブコネクタが、一対のロック部の間で湾曲するような不正な変形を生じることが懸念される。しかし、サブコネクタのうち一対のロック部の間の領域は、第２係止部を介して支持部に支持されているので、サブコネクタの不正な湾曲変形が防止される。
【図面の簡単な説明】
【０００８】
【図１】実施例１の雄側分割コネクタの正面図
【図２】図１のＸ−Ｘ線断面図
【図３】雄側フレームの正面図
【図４】雄側フレームの背面図
【図５】図３のＹ−Ｙ線断面図
【図６】図３のＺ−Ｚ線断面図
【図７】雄側サブコネクタの正面図
【図８】雄側分割コネクタと雌側分割コネクタの嵌合状態をあらわすＸ−Ｘ線相当断面図
【発明を実施するための形態】
【０００９】
本発明は、前記支持部は、前記取付部の開口縁部同士を連結した形態であり、且つ壁厚方向を前記相手側コネクタとの嵌合方向と交差する方向に向けた支持壁部を有していてもよい。この構成によれば、支持壁部によって支持部の剛性が高められているので、サブコネクタを確実に支持することができる。
【００１０】
本発明は、前記支持壁部に形成され、前記第２係止部が係止可能な受け部と、前記フレームに形成され、前記支持壁部に対し交差した形態で連なる補強壁部を備えていてもよい。この構成によれば、支持壁部は、補強壁部により剛性が高められているので、壁厚方向へ傾いたり湾曲したりするような不正な変形を生じ難い。
【００１１】
本発明は、前記支持壁部に形成され、前記相手側コネクタとの嵌合方向に沿った方向に延びるリブを備えていてもよい。この構成によれば、支持壁部は、リブにより剛性が高められているので、壁厚方向へ傾いたり湾曲したりするような不正な変形を生じ難い。
【００１２】
本発明は、前記支持部には、前記支持壁部から突出した形態であり、前記第２係止部が係止可能な受け部が設けられており、前記受け部が前記リブに連なっていてもよい。この構成によれば、受け部の剛性がリブによって高められるので、受け部と第２係止部とを確実に係止させることができる。
【００１３】
＜実施例１＞
以下、本発明を具体化した実施例１を図１〜図８を参照して説明する。尚、以下の説明において、前後の方向については、図２，５，８における右方、及び図６における下方を前方と定義する。上下の方向については、図１〜５，７，８にあらわれる向きを、そのまま上方、下方と定義する。左右の方向については、図１，３，６，７にあらわれる向きを、そのまま左方、右方と定義する。
【００１４】
本実施例１の分割コネクタＡは、合成樹脂製のフレーム１０と、複数のサブコネクタ２５とを組み付けて構成されている。フレーム１０は、板厚方向を前後方向（相手側コネクタＢとの嵌合方向と平行な方向）に向けた略平板状をなす板状本体部１１と、板状本体部１１の外周縁から前方へ延出した周壁部１２とを有する単一部材である。フレーム１０には、板状本体部１１を前後方向に貫通した形態の複数の取付部１３が形成されている。
【００１５】
図３，４に示すように、最も下に位置する取付部１３の正面視形状（開口形状）は、長辺１３Ｌを上下方向に向け、短辺１３Ｓを左右方向に向けた略長方形をなしている。図５に示すように、取付部１３の開口縁部のうち上下両縁部（上下一対の短辺１３Ｓ）には、後方へ片持ち状に延出した形態の一対の弾性ロック片１４が形成されている。上縁部の弾性ロック片１４は上方への弾性変形が可能であり、下縁部の弾性ロック片１４は下方への弾性変形が可能である。一対の弾性ロック片１４の後端部には、ロック部１５が形成されている。一対の弾性ロック片１４（ロック部１５）は、後述するサブコネクタ２５を取付部１３に取り付けた状態に保持する機能を発揮する。
【００１６】
図２〜６に示すように、取付部１３には、取付部１３に取り付けた状態のサブコネクタ２５が不正な形態で弾性変形するのを防止するための手段として、支持部１６が形成されている。支持部１６は、一枚の支持壁部１７と、支持壁部１７に一対に形成された左右一対のリブ２１と、支持壁部１７に一体に形成された受け部２２とを有している。
【００１７】
支持壁部１７は、壁厚方向を上下方向（分割コネクタＡと相手側コネクタＢの嵌合方向に対して直角に交差する方向）に向けた状態で、取付部１３の開口領域を水平に橋渡しするように配されている。支持壁部１７の前後方向の左右両端縁部は、取付部１３の開口縁部のうち上下方向の長辺１３Ｌに連なっている。支持壁部１７は、相手側コネクタＢとの嵌合方向と平行な正面視において、上下一対のロック部１５（一対の弾性ロック片１４）のほぼ中間位置に配されている。
【００１８】
図６に示すように、支持壁部１７は、第１壁部１８と第２壁部１９と第３壁部２０とから構成されている。第１壁部１８は、平面視において方形をなす。第２壁部１９は、平面視において等脚台形をなし、第１壁部１８の前端縁から前方へ面一状に延出した形態である。第３壁部２０は、第２壁部１９の前端縁の左右方向中央部から前方へ片持ち状に延出した形態である。第３壁部２０の左右方向の寸法は、第２壁部１９の左右方向の寸法より小さい。第２壁部１９の左右両側縁が、取付部１３の開口縁部（板状本体部１１）に連なっている。
【００１９】
左右一対のリブ２１は、支持壁部１７の上面から上方へ突出した形態である。一対のリブ２１は、互いに平行をなして前後方向に直線状に延びた形態であり、支持壁部１７の前端から後端に亘って連続して形成されている。一対のリブ２１の前端部は第３壁部２０の左右両側縁に沿うように配され、一対のリブ２１は、第３壁部２０から第２壁部１９及び第１壁部１８の左右方向中央部を後方へ延長した形態である。
【００２０】
一対のリブ２１を支持壁部１７に一対に形成したことにより、支持壁部１７の剛性か高められている。これにより、支持壁部１７は、側面視（分割コネクタＡと相手側コネクタＢとの嵌合方向に対して直交する方向であり、且つ支持壁部１７の壁厚方向に対して直交する方向）において湾曲するような形態で弾性変形することを規制されている。
【００２１】
受け部２２は、支持壁部１７（第１壁部１８）の上面における後端部から、上方へ片持ち状に突出した形態である。受け部２２の突出方向は、フレーム１０に対するサブコネクタ２５の組付け方向と直交する方向である。受け部２２は一対のリブ２１の間に挟まれるように配され、受け部２２の左右両側縁が一対のリブ２１の互いに対向する内側面に連なっている。受け部２２は、一対のリブ２１により補強され、前後方向（フレーム１０に対する底の組付け方向と平行な方向）へ傾くように変位することを規制されている。
【００２２】
図５，６に示すように、支持壁部１７の大部分（第１壁部１８の一部と、第２壁部１９の全体と、第３壁部２０の全体）は、板状本体部１１よりも前方に位置している。支持壁部１７（第１壁部１８）の後端部のみが、板状本体部１１よりも後方へ突出している。支持壁部１７（第１壁部１８）の左右両側縁部のうち板状本体部１１に対して直接的に連なる部位は、板状本体部１１の板厚と対応する僅かな部位だけである。そのため、支持壁部１７が板状本体部１１に対して上下方向に傾くように変形することが懸念される。
【００２３】
その対策として、フレーム１０には左右一対の補強壁部２３が一体に形成されている。一対の補強壁部２３は、板状本体部１１の前面から前方へ片持ち状に突出した形態である。一対の補強壁部２３は、取付部１３の開口縁のうち上下方向の長辺１３Ｌに沿って直線状に配されている。補強壁部２３は、長辺１３Ｌのほぼ全長に亘って連続している。支持壁部１７のうち第１壁部１８の左右両側縁と第２壁部１９の左右両側縁は、一対の補強壁部２３の互いに対向する内側面に連なっている。
【００２４】
正面視において、支持壁部１７と左右一対の補強壁部２３は、「Ｈ字形」をなすように連なっている。支持壁部１７は、補強壁部２３に連なることによってＨ字形を構成するので、板状本体部１１に対して上下方向へ傾いたり、側面視において湾曲したりするような不正な変形が生じないように補強されている。
【００２５】
また、補強壁部２３の外側面（取付部１３に臨む内側面とは反対側の側面）には、前後方向にリブ状補強部２４が形成されている。リブ状補強部２４を形成したことにより、補強壁部２３の剛性（強度）が高められているので、支持壁の不正な変形は補強壁部２３によって確実に防止されている。
【００２６】
サブコネクタ２５は、図７に示すように、全体としてブロック状をなす。サブコネクタ２５内には、複数の端子収容室２６が形成されている。サブコネクタ２５の外面のうち上面と下面には、夫々、上下一対のロック部１５に対して個別に係止可能な第１係止部２７が形成されている。サブコネクタ２５の前面のうち上下方向における略中央部には、左右方向に延びる溝部２８が形成されている。溝部２８の内面のうち上面には、第２係止部２９が突出形成されている。複数の端子収容室２６は、溝部２８（第２係止部２９）よりも上方の領域と、溝部２８（第２係止部２９）よりも下方の領域とに分かれて配置されている。
【００２７】
端子金具３０は、図８に示すように、端子本体部３１と、端子本体部３１から前方へ片持ち状に突出したタブ３２とを有する雄型の端子である。端子金具３０は、後方から端子収容室２６内に挿入された状態でサブコネクタ２５に取り付けられている。端子金具３０をサブコネクタ２５に取り付けた状態では、タブ３２がサブコネクタ２５の前面から前方へ突出している。端子金具３０の後端部には電線３３の前端部が導通可能に固着されている。複数の端子収容室２６に取り付けられた複数の端子金具３０は、正面視において上下一対の第１係止部２７の間に挟まれるように配されている。
【００２８】
サブコネクタ２５は、フレーム１０の後方から取付部１３内に挿入するようにして組み付けられる。組付けの過程では、サブコネクタ２５が一対の補強壁部２３の間に収容されるとともに、弾性ロック片１４が第１係止部２７と干渉して弾性変形する。
【００２９】
サブコネクタ２５が取付部１３に対して適正に組み付けられると、弾性ロック片１４が弾性復帰し、上下一対の第１係止部２７が上下一対のロック部１５に対して個別に、且つ前方から当接した状態、又はロック部１５の前面に対して接近して対向する位置関係となる。同じくサブコネクタ２５が取付部１３に対して適正に組み付けられると、支持壁部１７の後端縁部と受け部２２が溝部２８に進入し、第２係止部２９が、受け部２２に対し前方から当接した状態、又は受け部２２の前面に接近して対向した位置関係となる。
【００３０】
図８に示すように、相手側コネクタＢは、端子収容部４０と、端子収容部４０内に収容された複数の雌形の相手側端子４１とを備えている。相手側端子４１内には弾性係止片（図示省略）が設けられている。分割コネクタＡと相手側コネクタＢを嵌合する過程では、タブ３２が、相手側端子４１内に挿入され、弾性接触片に対し弾性的に接触するので、端子金具３０と相手側端子４１との間に嵌合動作に抗する摩擦抵抗が生じるようになっている。
【００３１】
この摩擦抵抗により、サブコネクタ２５に対して相手側コネクタＢから後方への押圧力が作用する。ここで、上下一対のロック部１５に対する第１係止部２７の対向方向は、分割コネクタＡに対する相手側コネクタＢの嵌合方向と同方向である。したがって、端子金具３０と相手側端子４１との間の摩擦抵抗により、サブコネクタ２５に対して相手側コネクタＢから後方への押圧力が作用しても、上下一対のロック部１５に対する第１係止部２７の係止作用により、サブコネクタ２５がフレーム１０に対して後方へ離脱することを規制される。
【００３２】
また、上下一対のロック部１５（上下一対の第１係止部２７）はサブコネクタ２５の上下両端に位置しており、分割コネクタＡと相手側コネクタＢとの嵌合方向と平行な正面視において、複数の端子金具３０は上下一対のロック部１５の間に配されている。そのため、端子金具３０と相手側端子４１との間の摩擦抵抗により、一対のロック部１５の間でサブコネクタ２５が後方へ膨らむような不正な湾曲変形を生じることが懸念される。しかし、上下一対のロック部１５の間には受け部２２が配置されていて、この受け部２２にサブコネクタ２５の第２係止部２９が前方から係止している。この係止作用により、サブコネクタ２５の不正な湾曲変形が防止される。
【００３３】
本実施例１の分割コネクタＡは、サブコネクタ２５の不正な変形を防止することが可能なものであり、相手側コネクタＢと嵌合可能なフレーム１０と、フレーム１０に取り付けられるサブコネクタ２５とを備えて構成されている。フレーム１０には、相手側コネクタＢとの嵌合方向に貫通した形態の取付部１３が形成されている。取付部１３の開口縁部のうち互いに対向する上下２辺（短辺１３Ｓ）には、一対のロック部１５（弾性ロック片１４）が形成されている。取付部１３の開口領域のうち上下一対のロック部１５の間には、支持部１６が配置されている。
【００３４】
サブコネクタ２５は、端子金具３０を保持した状態で取付部１３に取り付けられるようになっている。サブコネクタ２５には、一対のロック部１５に係止することでサブコネクタ２５を前記取付部１３に保持する一対の第１係止部２７が形成されている。同じくサブコネクタ２５には、支持部１６に対し相手側コネクタＢへの嵌合方向（前方向）とは逆向き（後方向）に係止可能な第２係止部２９が形成されている。
【００３５】
フレーム１０を相手側コネクタＢと嵌合する際には、相手側コネクタＢからサブコネクタ２５に対して嵌合方向とは逆向きの嵌合抵抗が作用するので、サブコネクタ２５が、一対のロック部１５の間で湾曲するような不正な変形を生じることが懸念される。しかし、サブコネクタ２５のうち一対のロック部１５の間の領域は、第２係止部２９を介して支持部１６に支持されているので、サブコネクタ２５の不正な湾曲変形が防止される。
【００３６】
また、支持部１６は支持壁部１７を有している。支持壁部１７は、取付部１３の開口縁部同士を連結した形態であり、壁厚方向を相手側コネクタＢとの嵌合方向と交差する上下方向に向けた形態である。支持部１６が支持壁部１７を有していることにより、支持部１６の剛性が支持壁部１７によって高められているので、サブコネクタ２５を確実に支持することができる。
【００３７】
また、フレーム１０には、支持壁部１７に対し交差した形態で連なる補強壁部２３が形成されているので、支持壁部１７は、補強壁部２３により剛性が高められている。さらに、支持壁部１７には、相手側コネクタＢとの嵌合方向に沿った前後方向に延びる左右一対のリブ２１が形成されているので、支持壁部１７は、リブ２１によっても剛性が高められている。支持壁部１７の強度と剛性が高められているので、支持壁部１７が壁厚方向へ傾いたり湾曲したりするような不正な変形を生じ難い。
【００３８】
また、支持部１６には、支持壁部１７から突出した形態であり、第２係止部２９が係止可能な受け部２２が設けられている。受け部２２は一対のリブ２１に連なっているので、受け部２２の剛性がリブ２１によって高められている。これにより、受け部２２と第２係止部２９とを確実に係止させることができ、ひいては、サブコネクタ２５の不正な湾曲変形を確実に防止することができる。
【００３９】
＜他の実施例＞
本発明は上記記述及び図面によって説明した実施例に限定されるものではなく、例えば次のような実施例も本発明の技術的範囲に含まれる。
（１）上記実施例１では、支持部が支持壁部を有しているが、支持部は、全体として細長く延びた梁状をなしていてもよい。
（２）上記実施例１では、補強壁部が取付部の開口縁部に沿って配されているが、補強壁部は、取付部の開口縁部とは異なる位置に配されていてもよい。
（３）上記実施例１では、支持壁部の剛性を高めるための補強壁部を形成したが、フレームは、補強壁部を有しない形態であってもよい。
（４）上記実施例１では、支持壁部にリブを形成したが、支持壁部は、リブを有しない形態であってもよい。
（５）上記実施例１では、受け部がリブに連なるように形成されているが、受け部は、リブに連ならない形態であってもよい。
（６）上記実施例１では、受け部が支持壁部から突出した形態であるが、受け部は、支持壁部を凹ませた形態や支持壁部を切欠いた形態であってもよい。
【符号の説明】
【００４０】
Ａ…分割コネクタ
Ｂ…相手側コネクタ
１０…フレーム
１３…取付部
１５…ロック部
１６…支持部
１７…支持壁部
２１…リブ
２２…受け部
２３…補強壁部
２５…サブコネクタ
２７…第１係止部
２９…第２係止部
３０…端子金具
【図１】
2020102333.tif 000003
【図２】
2020102333.tif 000004
【図３】
2020102333.tif 000005
【図４】
2020102333.tif 000006
【図５】
2020102333.tif 000007
【図６】
2020102333.tif 000008
【図７】
2020102333.tif 000009
【図８】
2020102333.tif 000010